(57)【要約】【課題】  非観血血圧を測定する血圧計用カフに設けたエアブラダーについて、その内部を単位体積当りの熱容量が高い物質により構成することにより、エアブラダーの内部における不要な温度および圧力の変動を抑えて、昇圧式非観血血圧計での昇圧（加圧）、減圧式非観血血圧計でのステップダウン減圧またはリニア式減圧（時間に対し一定の速さで減圧）における温度変動によるカフ圧の変動を軽減ないし解消して、より正確な非観血血圧の測定を行うことができる血圧計用カフを提供する。【解決手段】  被験者の身体表面に装着し、エアを注入して動脈を圧迫するエアブラダー１２を備え、心拍に同期して得られる脈動成分を検出して非観血血圧を測定する血圧計用カフ１０において、前記エアブラダー１２の内部を単位体積当りの熱容量が高い物質により構成する。【選択図】  図１
2005287533.tif 000002
【特許請求の範囲】
【請求項１】
被験者の身体表面に装着し、エアを注入して動脈を圧迫するエアブラダーを備え、心拍に同期して得られる脈動成分を検出して非観血血圧を測定する血圧計用カフにおいて、
前記エアブラダーの内部を単位体積当りの熱容量が高い物質により構成することを特徴とする血圧計用カフ。
【請求項２】
前記単位体積当りの熱容量が高い物質とは、鉄と同程度またはそれ以上の単位体積当りの熱容量を有する物質または鉄と同程度の熱容量を得ることができる物質を使用することを特徴とする請求項１記載の血圧計用カフ。
【請求項３】
前記エアブラダーの内部に、単位体積当りの熱容量が高い物質からなる３次元網目構造体を設けることを特徴とする請求項１または２記載の血圧計用カフ。
【請求項４】
前記単位体積当りの熱容量が高い物質からなる３次元網目構造体は、単位体積当りの熱容量が高い金属等の繊維により約１〜５ｍｍのメッシュ・サイズからなる３次元網目構造体として形成してなることを特徴とする請求項３記載の血圧計用カフ。
【請求項５】
前記単位体積当りの熱容量が高い物質からなる３次元網目構造体は、ポリエチレン等の単位体積当りの熱容量が高い樹脂を発泡成形により約１〜５ｍｍのメッシュ・サイズからなる３次元網目構造体として形成してなることを特徴とする請求項３記載の血圧計用カフ。
【請求項６】
前記単位体積当りの熱容量が高い物質からなる３次元網目構造体は、発泡成形し易い樹脂により成形した約１〜５ｍｍのメッシュ・サイズからなる３次元網目構造体に、単位体積当りの熱容量が高い物質をコーティング、溶着、浸漬、吹き付け等の方法で皮膜形成してなることを特徴とする請求項３記載の血圧計用カフ。
【請求項７】
前記３次元網目構造体に皮膜形成する鉄の皮膜厚は、約５μｍ以上の厚さであり、その他の物質においては鉄の皮膜厚約５μｍ以上と同様な熱容量を有する皮膜厚に設定することを特徴とする請求項６記載の血圧計用カフ。
【請求項８】
前記エアブラダーの内面に、単位体積当りの熱容量が高い物質をコーティング、溶着、浸漬、吹き付け等の方法により被覆層として形成してなることを特徴とする請求項１または２記載の血圧計用カフ。
【請求項９】
前記エアブラダーの内面を被覆層として形成する鉄の被覆層厚は、約７μｍ以上の厚さであり、その他の物質においては鉄の被覆層厚約７μｍ以上と同様な熱容量を有する被覆層厚に設定することを特徴とする請求項８記載の血圧計用カフ。
【請求項１０】
前記エアブラダーの構造体を、単位体積当りの熱容量が高い物質で形成することを特徴とする請求項１または２記載の血圧計用カフ。
【請求項１１】
前記請求項３、８、１０に記載のエアブラダーのいずれか２つまたは３つの組み合わせからなることを特徴とする請求項１または２記載の血圧計用カフ。
【発明の詳細な説明】
【技術分野】
【０００１】
本発明は、被験者の身体表面に保持させて心拍に同期して得られる脈動成分を検出する非観血血圧計に使用するカフに係り、例えば患者の手術中等における急激な血圧変動に対処するために１回、間欠的または連続的に血圧を計測する場合等において、カフに組み込まれるエアブラダー（空気袋）内への空気の出入りに際し、エアブラダー内の温度が変動し、それに伴ってエアブラダーの内部圧力も変化することにより、血圧の測定値が不正確となるのを防止するため、前記エアブラダー内への空気の出入りによる温度変動や圧力変動を直接的に抑制し得る構成とし、常に正確に１回、間欠的または連続的に血圧測定を達成することができる血圧計用カフに関するものである。
【背景技術】
【０００２】
従来、非観血血圧計として、例えば被験者の収縮期血圧（最高血圧）を測定する装置として、カフを被験者の腕や手首に巻き、収縮期血圧以上の圧力値までカフを加圧することにより動脈を閉塞して血流を阻血した後、圧迫用カフの内部の圧力変動を観察することによって動脈の拍動による振動を検出して、この振動の振幅の変化から収縮期血圧を測定するオシロメトリック法が知られている。
【０００３】
この種の非観血血圧計は、被験者の腕や手首に装着し、エアを注入して動脈を圧迫する空気袋（エアブラダー）を有するカフと、このカフの空気袋内で変化する降下圧と脈圧との重畳圧力を検出する圧力センサと、この圧力センサの検出値をデジタル信号に変換するＡ／Ｄ変換部と、このＡ／Ｄ変換部で得られたデジタル信号を入力して被験者の最高、最低血圧値を算出する演算処理部（ＣＰＵ）と、この演算処理部により算出された最高、最低血圧値を表示する表示部とを、基本的に備えた構成からなるものである。
【０００４】
しかるに、従来において、このような基本構成からなる血圧計においては、被験者の測定部位である上腕動脈の広い範囲にカフを巻回し、脈圧波振動をカフ圧内の圧力変化として検出しているので、血圧判定法の理想とされている局所的な動脈壁の動脈圧を正確に反映しておらず、このため最高血圧以上のカフ圧において脈圧波が出現したり、また脈圧波が空気を媒質として伝播されることから、空気の圧縮性やダンピング特性等により周波数伝播に影響を受け、コロトコフ音の伝播が阻害される等の不都合があるとの観点から、局所的な動脈壁の変位を直接測定することにより正確な血圧判定が可能になるように構成した血圧計用カフが提案されている（特許文献１参照）。
【０００５】
この特許文献１における血圧計用カフは、(1) 被験者の要部に装着され、エアを注入して動脈を圧迫する血圧計用カフであって、(2) 相互に縫着される内側、外側布間に保持された硬質湾曲板と、(3) 前記外側布の外表面に固着された係止ファスナと、(4) 前記内側布の内周側に固設された空気袋と、(5) 前記空気袋の内、外部間に対向設置された光学距離センサとを有する構成からなる。この場合、前記光学距離センサは、前記空気袋の内側部に設けられた反射板と、前記空気袋の外側部に設けられた受光および発光素子とから構成されている。また、前記空気袋は、透明な袋体と、この袋体に一体的に組み込まれた格子状の補強繊維とから構成されている。
【０００６】
【特許文献１】特開平８−２８０６３８号公報
【発明の開示】
【発明が解決しようとする課題】
【０００７】
前記特許文献１に開示される血圧計用カフにおいては、血圧を測定するセンサとして、光学距離センサを使用することから、透明な袋体からなる空気袋（エアブラダー）を設けることが必要であり、またこの空気袋に対して受光および発光素子を反射板と共に適正な位置にそれぞれ設置する必要がある。このため、前記血圧計用カフは、部品点数が多く、装置構成が複雑となり、製作に手間が掛かると共に製造コストも増大し、しかも常に適正な測定を行うためには、各部品等に対する保守点検も頻繁に行う必要があり、取扱いが煩雑となる難点がある。
【０００８】
本発明者等は、従来の圧力センサを使用する非観血血圧計において、被験者の腕や手首に装着し、エアを注入して動脈を圧迫するエアブラダー（空気袋）を有するカフに対し、空気の出入りがあると、エアブラダー内の温度が変動し、これに伴いエアブラダー内部の圧力も変化するために、血圧測定値にも無視できない変動を生じることを知見した（図１０参照）。例えば、図１０に示すように、非観血血圧測定に際して、エアブラダー（空気袋）に対してステップダウン減圧の制御を行った場合、エアブラダー内において温度が上昇変化し、これに伴いカフ圧（Ｐ）も段階的に上昇変化し、これによりステップダウン減圧時のそれぞれ立上がり点（＋）に対応するオシレーション波形（ＯＳＣ）の立上がり点に変動を生じ、図示のような血圧誤差を生じることが確認された。そこで、本発明者等は、前述した知見に着目して、種々検討並びに試作を重ねた結果、温度ドリフトによるカフ圧（Ｐ）の変動を軽減ないし解消して、常に正確な非観血血圧を測定することができる血圧計用カフの開発に成功した。
【０００９】
しかるに、従来の血圧計用カフにおいては、エアブラダー内の温度変化や圧力変化を制御ないし抑制することが非常に難しく、例えば信号処理等で補正ないし校正する方法しかなく、このような方法によれば前記温度や圧力の変動が収まるまでに、多くの時間経過を要し、血圧測定のために無駄な測定時間を費やすばかりでなく、被験者に多大の負担を掛ける等の難点がある。また、前述した特許文献１に開示される血圧計用カフにおいては、このようなエアブラダー内の温度変化や圧力変化に対する解決方法ないし手段について、全く考慮されていない。
【００１０】
これに対し、本発明者等の開発に係る血圧計用カフにおいては、被験者の身体表面に装着し、エアを注入して動脈を圧迫し、心拍に同期して得られる脈動成分を検出して非観血血圧を測定する血圧計用カフに設けたエアブラダーについて、エアブラダーの内部を単位体積当りの熱容量が高い物質で構成することにより、エアブラダーの内部における不要な温度および圧力の変動を低く抑えることができ、例えば非観血血圧測定でのステップダウン減圧における温度変動によるカフ圧の変動を軽減ないし解消して、より正確な非観血血圧の測定を行うことができることを突き止めた。
【００１１】
すなわち、前記エアブラダーの内部を、単位体積当りの熱容量が高い物質で構成する手段としては、まず単位体積当りの熱容量が高い物質として、鉄と同程度またはそれ以上の単位体積当りの熱容量を有する物質を好適に使用することができる。そして、その具体的手段としては、(1) エアブラダーの内部に、単位体積当りの熱容量が高い物質からなる３次元網目構造体を設けること、(2) エアブラダーの内面に、単位体積当りの熱容量が高い物質をコーティング、溶着、浸漬、吹き付け等の方法により被覆層として形成すること、(3) エアブラダーの構造体を単位体積当りの熱容量が高い物質で形成すること、(4) 前記 (1)〜(3) の適宜組み合わせとすることにより、エアブラダーの内部における不要な温度および圧力の変動を極めて有効に低く抑えることができることを突き止めた。
【００１２】
従って、本発明の目的は、非観血血圧を測定する血圧計用カフに設けたエアブラダーについて、その内部を単位体積当りの熱容量が高い物質により構成することにより、エアブラダーの内部における不要な温度および圧力の変動を抑えて、昇圧式非観血血圧計での昇圧（加圧）、減圧式非観血血圧計でのステップダウン減圧またはリニア式減圧（時間に対し一定の速さで減圧）における温度変動によるカフ圧の変動を軽減ないし解消して、より正確な非観血血圧の測定を行うことができる血圧計用カフを提供することにある。
【課題を解決するための手段】
【００１３】
前記の目的を達成するため、本発明の請求項１に記載の血圧計用カフは、被験者の身体表面に装着し、エアを注入して動脈を圧迫するエアブラダーを備え、心拍に同期して得られる脈動成分を検出して非観血血圧を測定する血圧計用カフにおいて、
前記エアブラダーの内部を、単位体積当りの熱容量が高い物質により構成することを特徴とする。
【００１４】
本発明の請求項２に記載の血圧計用カフにおいて、前記単位体積当りの熱容量が高い物質とは、鉄と同程度またはそれ以上の単位体積当りの熱容量を有する物質または鉄と同程度の熱容量を得ることができる物質を使用することを特徴とする。
【００１５】
本発明の請求項３に記載の血圧計用カフは、前記エアブラダーの内部に、単位体積当りの熱容量が高い物質からなる３次元網目構造体を設けることを特徴とする。
【００１６】
本発明の請求項４に記載の血圧計用カフにおいて、前記単位体積当りの熱容量が高い物質からなる３次元網目構造体は、単位体積当りの熱容量が高い金属等の繊維により約１〜５ｍｍのメッシュ・サイズからなる３次元網目構造体として形成してなることを特徴とする。
【００１７】
本発明の請求項５に記載の血圧計用カフにおいて、前記単位体積当りの熱容量が高い物質からなる３次元網目構造体は、ポリエチレン等の単位体積当りの熱容量が高い樹脂を発泡成形により約１〜５ｍｍのメッシュ・サイズからなる３次元網目構造体として形成してなることを特徴とする。
【００１８】
本発明の請求項６に記載の血圧計用カフにおいて、前記単位体積当りの熱容量が高い物質からなる３次元網目構造体は、発泡成形し易い樹脂により成形した約１〜５ｍｍのメッシュ・サイズからなる３次元網目構造体に、単位体積当りの熱容量が高い物質をコーティング、溶着、浸漬、吹き付け等の方法で皮膜形成してなることを特徴とする。
【００１９】
本発明の請求項７に記載の血圧計用カフにおいて、前記３次元網目構造体に皮膜形成する鉄の皮膜厚は、約５μｍ以上の厚さであり、その他の物質においては鉄の皮膜厚約５μｍ以上と同様な熱容量を有する皮膜厚に設定することを特徴とする。
【００２０】
本発明の請求項８に記載の血圧計用カフは、前記エアブラダーの内面に、単位体積当りの熱容量が高い物質をコーティング、溶着、浸漬、吹き付け等の方法により被覆層として形成してなることを特徴とする。
【００２１】
本発明の請求項９に記載の血圧計用カフにおいて、前記エアブラダーの内面に被覆層として形成する鉄の被覆層厚は、約７μｍ以上の厚さであり、その他の物質においては鉄の被覆層厚約７μｍ以上と同様な熱容量を有する被覆層厚に設定することを特徴とする。
【００２２】
本発明の請求項１０に記載の血圧計用カフは、前記エアブラダーの構造体を、単位体積当りの熱容量が高い物質で形成することを特徴とする。
【００２３】
本発明の請求項１１に記載の血圧計用カフは、前記請求項３、８、１０に記載のエアブラダーのいずれか２つまたは３つの組み合わせからなることを特徴とする。
【発明の効果】
【００２４】
本発明の請求項１および２に記載の血圧計用カフによれば、簡単な構成により、エアブラダーの内部における不要な温度および圧力の変動を抑えて、昇圧式非観血血圧計での昇圧（加圧）、減速式非観血血圧計でのステップダウン減圧またはリニア式減圧における温度変動によるカフ圧の変動を軽減ないし解消して、より正確な非観血血圧の測定を行うことができる。
【００２５】
本発明の請求項３ないし７に記載の血圧計用カフによれば、既存のエアブラダーを使用して、その内部に設ける単位体積当りの熱容量が高い物質からなる３次元網目構造体を、従来公知の技術を使用して簡便にしかも低コストに製作することができ、エアブラダーの内部における不要な温度および圧力の変動を有効に抑制することができる。
【００２６】
本発明の請求項８および９に記載の血圧計用カフによれば、既存のエアブラダーの内面に、従来公知の技術を使用して、単位体積当りの熱容量が高い物質による被覆層としての形成を容易に達成することができる。
【００２７】
本発明の請求項１０に記載の血圧計用カフによれば、エアブラダーの構造体を、単位体積当りの熱容量が高い物質で形成することにより、取扱いおよび作業性の良好な血圧計用カフを得ることができる。
【００２８】
本発明の請求項１１に記載の血圧計用カフによれば、前述したエアブラダーのそれぞれ単位体積当りの熱容量が高い物質による処理手段を組み合わせることにより、エアブラダーの内部における不要な温度および圧力の変動をより有効に抑えることが可能となり、昇圧式非観血血圧計での昇圧（加圧）、減速式非観血血圧計でのステップダウン減圧またはリニア式減圧における温度変動によるカフ圧の変動を確実に軽減ないし解消して、より正確な非観血血圧の測定精度を高めることができる。
【発明を実施するための最良の形態】
【００２９】
次に、本発明に係る血圧計用カフの実施の形態につき、添付図面を参照しながら以下詳細に説明する。
【００３０】
図１は、本発明に係る血圧計用カフを使用する非観血血圧計の装置構成を示すものである。すなわち、図１において、参照符号１０は血圧計用カフを示し、この血圧計用カフ１０には、被験者の身体表面に装着し際に、エアを注入して動脈を圧迫するように構成配置したエアブラダー１２が設けられている。そして、このエアブラダー１２に対しては、それぞれエアホース１４を介して、エア供給源としてのエアポンプ１６と、エアブラダー１２におけるエアの供給および排気制御を行う電磁弁１８と、エアブラダー１２内の圧力を検出するための圧力センサ２０とが設けられている。
【００３１】
さらに、前記圧力センサ２０によって検出される圧力波形信号を、デジタル信号に変換するＡ／Ｄ変換器２２を設けて、このＡ／Ｄ変換器２２により得られたデジタル信号を、演算処理部（ＣＰＵ）２４に入力して、被験者の血圧値を算出し、この演算処理部２４により算出された血圧値を、表示部２６において表示するように構成されている。
【００３２】
また、前記エアポンプ１６および電磁弁１８に対しては、血圧測定の制御を行うための制御信号を演算処理部（ＣＰＵ）２４からそれぞれ出力すると共に、これらの制御信号をＤ／Ａ変換器２８によりアナログ信号に変換し、前記エアポンプ１６および電磁弁１８に伝達し、それぞれ血圧測定のための制御を行うように構成される。なお、前記演算処理部（ＣＰＵ）２４に対しては、前記血圧測定を行う際の制御操作をするためのスイッチ手段３０が設けられている。
【００３３】
次に、本発明に係る血圧計用カフ１０の実施例として、エアブラダー１２の内部を、単位体積当りの熱容量が高い物質により構成する場合のそれぞれ具体的な構成例について説明する。
【００３４】
（血圧計用カフの構成例１）
図２は、本発明に係る血圧計用カフ１０Ａの構成例として、エアブラダー１２Ａの内部に、単位体積当りの熱容量が高い物質からなる３次元網目構造体４０を設けたものである。そこで、前記単位体積当りの熱容量が高い物質からなる３次元網目構造体４０としては、例えば次のような具体的な構成とすることができる。
【００３５】
（１）単位体積当りの熱容量が高い金属等の繊維を使用し、これを緩く巻回するか、またはランダムに寄せ集めて纏めることにより、約１〜５ｍｍのメッシュ・サイズからなる３次元網目構造体を形成する。
（２）ポリエチレン等の単位体積当りの熱容量が高い樹脂を、多孔質状（スポンジ状）に発泡成形して、約１〜５ｍｍのメッシュ・サイズからなる３次元網目構造体として形成することができる。
（３）発泡成形し易い樹脂により成形した約１〜５ｍｍのメッシュ・サイズからなる３次元網目構造体に、単位体積当りの熱容量が高い物質をコーティング、溶着、浸漬、吹き付け等の方法で皮膜を形成した構成とする。この場合、前記３次元網目構造体４０に皮膜形成する単位体積当りの熱容量が高い物質の皮膜厚は、約５μｍ以上の厚さに設定することができる。
【００３６】
本実施例において、単位体積当りの熱容量が高い物質は、鉄［３．５５Ｊ/(Ｋ・cm3)］を基準として次のように考える。鉄で被覆層厚７μｍと同等の熱容量を持つ厚みを得るのは、アルミニウムの場合、被覆層厚１０．３μｍ（＝７μｍ×３．５５／２．４１）である。
このような計算に基づき、鉄と同程度またはそれ以上の単位体積当りの熱容量が高い物質を用いて、本発明で必要な熱容量と同程度の熱容量を持つ状態を構成することで、本発明と同等の効果を得ることができる。例えば、熱容量が高い物質として前記金属等の繊維となる物質としては、鉄（スチール）以外に、アルミニウム［２．４１Ｊ/(Ｋ・cm3)］、ポリエチレン［２．０１Ｊ/(Ｋ・cm3)］、ガラス［１．８２Ｊ/(Ｋ・cm3)］、ポリメタクリル酸メチル［１．７６Ｊ/(Ｋ・cm3)］、塩化ビニル樹脂［１．７１Ｊ/(Ｋ・cm3)］、エポキシ樹脂［１．５９Ｊ/(Ｋ・cm3)］、ポリカーボネート［１．５１Ｊ/(Ｋ・cm3)］、ゴム［１．４７Ｊ/(Ｋ・cm3)］、ポリスチレン［１．４２Ｊ/(Ｋ・cm3)］等が好適である。また、多孔質状に発泡成形する物質としては、ポリエチレン［２．０１Ｊ/(Ｋ・cm3)］、塩化ビニル樹脂［１．７１Ｊ/(Ｋ・cm3)］、ポリスチレン［１．４２Ｊ/(Ｋ・cm3)］等が好適である。さらに、皮膜を形成する物質としては、ポリエチレン［２．０１Ｊ/(Ｋ・cm3)］、ポリメタクリル酸メチル［１．７６Ｊ/(Ｋ・cm3)］、塩化ビニル樹脂［１．７１Ｊ/(Ｋ・cm3)］、エポキシ樹脂［１．５９Ｊ/(Ｋ・cm3)］、ポリカーボネート［１．５１Ｊ/(Ｋ・cm3)］、ゴム［１．４７Ｊ/(Ｋ・cm3)］、ポリスチレン［１．４２Ｊ/(Ｋ・cm3)］等の可撓性を有するものが好適である。
【００３７】
（血圧計用カフの構成例２）
図３は、本発明に係る血圧計用カフ１０Ｂの構成例として、エアブラダー１２Ｂの内面に、単位体積当りの熱容量が高い物質をコーティング、溶着、浸漬、吹き付け等の方法で被覆層４２として形成したものである。この場合、前記エアブラダー１２Ｂの内面に、被覆層４２として形成する単位体積当りの熱容量が高い物質の被覆層厚は、約７μｍ以上の厚さに設定することができる。
【００３８】
本実施例において、単位体積当りの熱容量が高い物質とは、例えば、ポリエチレン［２．０１Ｊ/(Ｋ・cm3)］、ポリメタクリル酸メチル［１．７６Ｊ/(Ｋ・cm3)］、塩化ビニル樹脂［１．７１Ｊ/(Ｋ・cm3)］、エポキシ樹脂［１．５９Ｊ/(Ｋ・cm3)］、ポリカーボネート［１．５１Ｊ/(Ｋ・cm3)］、ゴム［１．４７Ｊ/(Ｋ・cm3)］、ポリスチレン［１．４２Ｊ/(Ｋ・cm3)］等の可撓性を有するものが好適である。
【００３９】
（血圧計用カフの構成例３）
図４は、本発明に係る血圧計用カフ１０Ｃの構成例として、エアブラダー１２Ｃの構造体４４を、単位体積当りの熱容量が高い物質で形成したものである。そこで、本実施例において、単位体積当りの熱容量が高い物質としては、例えば、ポリエチレン［２．０１Ｊ/(Ｋ・cm3)］、ポリメタクリル酸メチル［１．７６Ｊ/(Ｋ・cm3)］、塩化ビニル樹脂［１．７１Ｊ/(Ｋ・cm3)］、エポキシ樹脂［１．５９Ｊ/(Ｋ・cm3)］、ポリカーボネート［１．５１Ｊ/(Ｋ・cm3)］、ゴム［１．４７Ｊ/(Ｋ・cm3)］、ポリスチレン［１．４２Ｊ/(Ｋ・cm3)］等の可撓性を有するものが好適である。
【００４０】
なお、前述した本発明に係る血圧計用カフ１０Ａ〜１０Ｃの各構成例については、それぞれ単独の構成とする場合のみならず、前記各構成例を組み合わせて使用することにより、本発明に係る血圧計用カフとしての作用および効果を、より一層有効に発揮させることが可能である。
【００４１】
次に、前記構成からなる本発明に係る血圧計用カフ１０Ａ〜１０Ｃの温度変化および圧力変化に対する特性について、それぞれ特性線図を参照しながら、以下説明する。
【００４２】
（血圧計用カフの温度上昇変化に対する特性）
図５は、非観血血圧測定でのステップダウン減圧を行った場合におけるカフ圧の変化と、ステップダウン減圧後の温度上昇（ΔＴn ）の関係を示す特性線図である。すなわち、図５に示す各特性(a) 〜(e) は、エアブラダーの内部に、空気のみ〔特性(a) 参照〕、スチール繊維の３次元網目構造体７ｇ〔特性(b) 参照〕、スチール繊維による容積の小さい３次元網目構造体３ｇ〔特性(c) 参照〕、スチール繊維による容積を拡大した３次元網目構造体３ｇ〔特性(d) 参照〕、ポリウレタン発泡体（スポンジ）の表面にアルミニウム皮膜を形成した３次元網目構造体４．３ｇ〔特性(e) 参照〕を、それぞれ導入配置した場合について測定したものである。図５に示す測定結果からは、スチール繊維による容積を拡大した３次元網目構造体３ｇ〔特性(d) 参照〕が、温度上昇（ΔＴn ）の変化が極めて少ないことが確認された。
【００４３】
（血圧計用カフの圧力上昇変化に対する特性）
図６は、非観血血圧測定でのステップダウン減圧を行った場合におけるカフ圧の変化と、ステップダウン減圧後の圧力上昇（ΔＰtn）の関係を示す特性線図である。すなわち、図６に示す各特性(a) 〜(e) は、エアブラダーの内部に、空気のみ〔特性(a) 参照〕、スチール繊維の３次元網目構造体７ｇ〔特性(b) 参照〕、スチール繊維による容積の小さい３次元網目構造体３ｇ〔特性(c) 参照〕、スチール繊維による容積を拡大した３次元網目構造体３ｇ〔特性(d) 参照〕、ポリウレタン発泡体（スポンジ）の表面にアルミニウム皮膜を形成した３次元網目構造体４．３ｇ〔特性(e) 参照〕を、それぞれ挿入配置した場合について測定したものである。図６に示す測定結果からは、前記と同様に、スチール繊維による容積を拡大した３次元網目構造体３ｇ〔特性(d) 参照〕が、圧力上昇（ΔＰtn）の変化が極めて少ないことが確認された。
【００４４】
（従来の血圧計用カフとの温度変化特性の比較）
図７は、カフ内部（エアブラダーの内部）における単位体積当りの熱容量の相違による温度変化［℃］を示す特性線図である。すなわち、図７に示す特性は、エアブラダーの内部に、空気のみ〔特性(a) 参照〕とスチール繊維による容積を拡大した３次元網目構造体３ｇ〔特性(d) 参照〕を、それぞれ挿入配置した場合について測定したものである。図７に示す測定結果からは、スチール繊維による容積を拡大した３次元網目構造体３ｇ〔特性(d) 参照〕が、温度変化が極めて少ない（低減率：約１／３）ことが確認された。
【００４５】
（従来の血圧計用カフとの圧力変化特性の比較）
図８の（ａ）、（ｂ）および図９は、カフ内部（エアブラダーの内部）における単位体積当りの熱容量の相違による圧力変化［ｍｍＨｇ］を示す特性線図である。すなわち、図８の（ａ）、（ｂ）および図９に示す特性は、エアブラダーの内部に、空気のみ〔特性(a) 参照〕とスチール繊維による容積を拡大した３次元網目構造体３ｇ〔特性(d) 参照〕を、それぞれ挿入配置した場合について測定したものである。特に、図９に拡大して示す測定結果からは、スチール繊維による容積を拡大した３次元網目構造体３ｇ〔特性(d) 参照〕が、温度変化が極めて少なく（低減率：約１／１０）、非観血血圧測定でのステップダウン減圧を行った場合のカフ圧測定結果が著しく改善されることが確認された。
【００４６】
以上の特性結果から、本発明に係る血圧計用カフを使用することにより、従来測定できなかった脈波を測定することができると共に、測定時間が従来のカフに比べて約２／３に短縮でき、被験者の負担を軽減することができる。また、カフ内部（エアブラダー内部）の不要な温度および圧力ドリフトを低く抑えることができ、血圧値をより正確に測定することができる。さらに、エアブラダー内部に設ける単位体積当りの熱容量が高い物質を３次元網目構造体として挿入配置することにより、カフの過剰な膨脹を防ぐことができると共に、カフに導入する空気量を少なくすることができ、省エネルギーに寄与する等、多くの優れた利点が得られる。
【００４７】
以上、本発明の好適な実施例について説明したが、本発明は前述した実施例に限定されることなく、本発明の精神を逸脱しない範囲内において多くの設計変更を行うことが可能である。
【図面の簡単な説明】
【００４８】
【図１】本発明に係る血圧計用カフを使用する非観血血圧計の装置構成を示す概略構成図である。
【図２】本発明に係る血圧計用カフの第１の構成例を示す概略断面説明図である。
【図３】本発明に係る血圧計用カフの第２の構成例を示す概略断面説明図である。
【図４】本発明に係る血圧計用カフの第３の構成例を示す概略断面説明図である。
【図５】本発明に係る血圧計用カフにおけるエアブラダーの各構成例についてのそれぞれ温度上昇変化による抑制特性を比較表示した特性線図である。
【図６】本発明に係る血圧計用カフにおけるエアブラダーの各構成例についてのそれぞれ圧力上昇変化による抑制特性を比較表示した特性線図である。
【図７】本発明に係る血圧計用カフと従来の血圧計用カフとの温度変化特性を比較表示した特性線図である。
【図８】（ａ）は本発明に係る血圧計用カフと従来の血圧計用カフとの圧力変化特性を比較表示した特性線図、（ｂ）は（ａ）の一部を拡大して示した特性線図である。
【図９】本発明に係る血圧計用カフと従来の血圧計用カフとの圧力変化特性を比較表示した特性線図であって、図８の（ｂ）の一部をさらに拡大して示した特性線図である。
【図１０】従来の血圧計用カフにおける圧力変化特性と血圧誤差の発生する状態を示す説明図である。
【符号の説明】
【００４９】
１０  血圧計用カフ（１０Ａ、１０Ｂ、１０Ｃ）
１２  エアブラダー（１２Ａ、１２Ｂ、１２Ｃ）
１４  エアホース
１６  エアポンプ
１８  電磁弁
２０  圧力センサ
２２  Ａ／Ｄ変換器
２４  演算処理部（ＣＰＵ）
２６  表示部
２８  Ｄ／Ａ変換器
３０  スイッチ手段
４０  ３次元網目構造体
４２  被覆層
４４  エアブラダーの構成体
【図１】
2005287533.tif 000003
【図２】
2005287533.tif 000004
【図３】
2005287533.tif 000005
【図４】
2005287533.tif 000006
【図５】
2005287533.tif 000007
【図６】
2005287533.tif 000008
【図７】
2005287533.tif 000009
【図８】
2005287533.tif 000010
【図９】
2005287533.tif 000011
【図１０】
2005287533.tif 000012